(57)【特許請求の範囲】
【請求項１】
遊技に係る動作を制御するための電子基板と、
前記電子基板を収容する基板ケースと、
封止用移動コマとを備え、遊技機の裏面側に取り付けられる電子基板ユニットであって、
前記基板ケースは、相互に重ね合わせられることにより前記電子基板を収容する第１ケース及び第２ケースを有し、
前記第１ケースと前記第２ケースとが相互に重ね合わせられて前記第２ケースが前記第１ケースに対して閉鎖方向にスライド操作されることにより前記基板ケースは前記電子基板を収容して閉鎖状態になり、
前記第１ケースは、前記電子基板を少なくとも部分的に囲む第１収容部と、前記第１収容部の側部に配置された第１封止部とを有し、
前記第２ケースは、前記第１収容部と協働して前記電子基板を収容する第２収容部と、前記第２収容部の側部に配置され、前記基板ケースが閉鎖状態になった場合に前記第１封止部と協働して封止空間を形成する第２封止部とを有し、
前記封止用移動コマは、前記第１ケースと前記第２ケースとの封止機能を実現するための部材であって、前記封止空間に配置され、前記基板ケースが閉鎖状態になった後で前記第２ケースが前記第１ケースに対して閉鎖方向と逆の開放方向にスライド操作された場合に前記開放方向にスライドし、
前記第１封止部の内部には、前記封止空間に配置された前記封止用移動コマが前記第２封止部の上面側に移動することを規制する垂直移動規制部が配置され、
前記垂直移動規制部は、前記基板ケースが閉鎖状態になった後で前記第２ケースが前記第１ケースに対して前記開放方向にスライド操作された場合に前記封止用移動コマと前記第２封止部の上面との間に位置し、前記封止用移動コマが前記第２封止部の上面側に移動することを規制し、
前記第２封止部は、前記封止用移動コマと係合可能な第１係合部を有し、
前記封止用移動コマは、前記第１係合部と係合可能な第２係合部を有し、
前記基板ケースが閉鎖状態になった後で前記第２ケースが前記第１ケースに対して前記開放方向にスライド操作された場合には前記第１係合部と前記第２係合部とが係合し、前記第２封止部は、前記第１封止部の底面から前記垂直移動規制部への方向の移動が規制される
電子基板ユニット。
【請求項２】
前記垂直移動規制部は、前記第１封止部の底面と平行となるように前記第１封止部の内部に固定された板部であり、
前記封止用移動コマは、前記封止空間に配置された場合に前記垂直移動規制部と平行となり、前記基板ケースが閉鎖状態になった後で前記第２ケースが前記第１ケースに対して前記開放方向にスライド操作された場合に前記垂直移動規制部と前記第１封止部の底面との間に位置する板部を有し、
前記第１係合部は、前記第２封止部の上面に対して凹部となり前記閉鎖方向に延びる溝部を有し、
前記第２係合部は、前記溝部と係合して前記開放方向にスライド可能な鉤部を有する
請求項１に記載の電子基板ユニット。
【請求項３】
前記第２封止部は、前記基板ケースが閉鎖状態になった後で前記第２ケースが前記第１ケースに対して前記開放方向にスライド操作された場合、前記封止用移動コマを前記開放方向にスライドさせるための支援部を有する
請求項１又は２に記載の電子基板ユニット。
【請求項４】
前記第２封止部の上面において、前記基板ケースが閉鎖状態になった場合に前記垂直移動規制部と対向する部分は、肉薄部である
請求項１から３のいずれかに記載の電子基板ユニット。
【請求項５】
遊技媒体を用いた遊技を実現する遊技装置体と、
前記遊技装置体を遊技者に視認可能に保持する遊技機枠と、
前記遊技媒体を貯留する球皿と、
請求項１から４のいずれかに記載の電子基板ユニットと
を備える遊技機。
【発明の詳細な説明】
【技術分野】
【０００１】
電子基板ユニット及び遊技機に関する。
【背景技術】
【０００２】
パチンコ機等の遊技機においては、弾球された遊技球が遊技領域（遊技盤面又はその近傍に形成された領域であって、遊技球の流下による遊技や演出を実現するための領域。）を流下して、その流下の過程で遊技球が遊技領域内の遊技釘（ゲージともいう。）や羽根車に衝突しつつ転回して流下方向が変化する。その結果、遊技領域上に配置された各種入賞口に遊技球が入賞すれば所定の景品球払出しがされ、一方いずれの入賞口にも入賞せずアウト口に遊技球が流入すれば景品球払出しはされない。遊技者は、弾球における自らの技量を発揮して、又は遊技球の流下における偶然性を利用しつつ遊技球の入賞及び景品球払出しを期待し、遊技を楽しむのである。
【０００３】
このようなパチンコ機においては、年々遊技の態様や演出が複雑化・多様化してきており、それに伴い遊技機の動作を制御するための電子基板の構造や機能も複雑化・多様化してきている。このような電子基板に対して不正な破壊や改造が行われると、遊技が適正に行われなかったり、一部の不正な遊技者に対して不当な利益が付与されてしまったりする虞がある。そのため、この電子基板及びその周囲構造に対しては、外部からのアクセスが困難となるような工夫、外部からの不正なアクセスがあった場合にその痕跡や履歴が容易に把握できるような工夫などが為される必要がある。
【０００４】
例えば、電子基板をボトムケースとトップケースとによって構成される基板ケースに収容し、進退ピンを含む封止片によってボトムケースとトップケースとを開放不可能に封止する技術が提案されている。封止片は、ボトムケースとトップケースとに跨るように不可逆的に、すなわち取り外し不可能に設置される。ボトムケースとトップケースとを封止片により一旦封止すると、封止片又は基板ケースを破壊しないと、基板ケースを開放することができない。そのため、基板ケースが万一開放されて電子基板に対して不正行為が行われると、電子基板がたとえ元の位置に戻されても、封止片や基板ケースに破壊の痕跡が残り、基板ケースが開放されたことを示す履歴を容易に見つけることができる。
【０００５】
特許文献１には、ピン係止部が設けられた第１ケース体と、封止ピンが設けられた第２ケース体とが、封止ピンがピン係止部に離脱不能に係合することにより封止される弾球遊技機の基板ケース封止装置が開示されている。
【先行技術文献】
【特許文献】
【０００６】
【特許文献１】特開平１１−２３９６５０号公報
【発明の概要】
【発明が解決しようとする課題】
【０００７】
しかしながら、近年、基板ケースの不正な開放はより巧妙に行われる。例えば、基板ケースにドリル等の不正工具を用いて孔を開け、その孔から針金等の工具を基板ケースの内部に挿入して進退ピンを含む封止片と基板ケースとの係合を解除し、封止片を基板ケースから引き抜いて基板ケースを不正に開放することが行われる場合がある。そのため、基板ケースが開放されることをより強固に防止する必要がある。
【０００８】
本発明は、上述の事情に鑑みて為されたもので、電子基板を収容する基板ケースの開放をより強固に防止する構造を有する電子基板ユニット及び遊技機を提供することを例示的課題とする。
【課題を解決するための手段】
【０００９】
上記の課題を解決するために、本発明における例示的側面としての電子基板ユニットは、遊技に係る動作を制御するための電子基板と、前記電子基板を収容する基板ケースと、封止用移動コマとを有し、遊技機の裏面側に取り付けられる。前記基板ケースは、相互に重ね合わせられることにより前記電子基板を収容する第１ケース及び第２ケースを有し、前記第１ケースと前記第２ケースとが相互に重ね合わせられて前記第２ケースが前記第１ケースに対して閉鎖方向にスライド操作されることにより前記基板ケースは前記電子基板を収容して閉鎖状態になり、前記第１ケースは、前記電子基板を少なくとも部分的に囲む第１収容部と、前記第１収容部の側部に配置された第１封止部とを有し、前記第２ケースは、前記第１収容部と協働して前記電子基板を収容する第２収容部と、前記第２収容部の側部に配置され、前記基板ケースが閉鎖状態になった場合に前記第１封止部と協働して封止空間を形成する第２封止部とを有する。前記封止用移動コマは、前記第１ケースと前記第２ケースとの封止機能を実現するための部材であって、前記封止空間に配置され、前記基板ケースが閉鎖状態になった後で前記第２ケースが前記第１ケースに対して閉鎖方向と逆の開放方向にスライド操作された場合に前記開放方向にスライドする。前記第１封止部の内部には、前記封止空間に配置された前記封止用移動コマが前記第２封止部の上面側に移動することを規制する垂直移動規制部が配置され、前記垂直移動規制部は、前記基板ケースが閉鎖状態になった後で前記第２ケースが前記第１ケースに対して前記開放方向にスライド操作された場合に前記封止用移動コマと前記第２封止部の上面との間に位置し、前記封止用移動コマが前記第２封止部の上面側に移動することを規制する。前記第２封止部は、前記封止用移動コマと係合可能な第１係合部を有し、前記封止用移動コマは、前記第１係合部と係合可能な第２係合部を有する。前記基板ケースが閉鎖状態になった後で前記第２ケースが前記第１ケースに対して前記開放方向にスライド操作された場合には前記第１係合部と前記第２係合部とが係合し、前記第２封止部は、前記第１封止部の底面から前記垂直移動規制部への方向の移動が規制される。
【００１０】
本発明における他の例示的側面としての遊技機は、遊技媒体を用いた遊技を実現する遊技装置体と、遊技装置体を遊技者に視認可能に保持する遊技機枠と、遊技媒体を貯留する球皿と、上記の電子基板ユニットとを有する。
【００１１】
本発明の更なる目的又はその他の特徴は、以下添付図面を参照して説明される好ましい実施形態によって明らかにする。
【発明の効果】
【００１２】
電子基板を収容する基板ケースの開放をより強固に防止する構造を有する電子基板ユニット及び遊技機を提供することができる。
【図面の簡単な説明】
【００１３】
【図１】実施形態１に係るパチンコ機の正面図である。
【図２】図１に示すパチンコ機の背面図である。
【図３】図２に示す主制御基板ユニットの平面図である。
【図４】図２に示す主制御基板ユニットの分解斜視図である。
【図５】図２に示す主制御基板ユニットに含まれる封止機構を分解斜視した際の模式図である。
【図６】図５に示す封止機構において、封止用移動コマが第１封止部に配置され、かつ第２封止部が第１封止部を覆った状態を第２封止部の上面に平行な平面であって上面直下の平面で切った際の断面図である。
【図７】図６に示す状態を収容部側から斜めに矢視した斜視図である。
【図８】図５に示す封止機構において、第２封止部を図６及び７の状態から閉鎖方向にスライド操作したことにより第２封止部が第１封止部を完全に覆った状態を第２封止部の上面に平行な平面であって上面直下の平面で切った際の断面図である。
【図９】図８に示す状態を収容部側から斜めに矢視した斜視図である。
【図１０】図５に示す封止機構において、主制御基板ケースが主制御基板を収容した閉鎖状態からトップケースの第２封止部を開放方向にスライド操作した状態を第２封止部の上面に平行な平面であって上面直下の平面で切った際の断面図である。
【図１１】図１０に示す状態を収容部側から斜めに矢視した斜視図である。
【図１２】図１１に示す封止機構の前後方向において、第１溝部，第２溝部と第１鉤部，第２鉤部とが係合した状態を示す図である。
【図１３】実施形態２の主制御基板ユニットの分解斜視図である。
【図１４】実施形態２の主制御基板ユニットの厚さ方向と平行な平面における主制御基板ユニットにおける封止機構の断面図である。
【実施するための形態】
【００１４】
［実施形態１］
以下、実施形態１について図面を用いて説明する。図１は、実施形態１に係る遊技機としてのパチンコ機２の正面図である。図２は、図１に示すパチンコ機２の背面図である。このパチンコ機２は、遊技機枠３、遊技盤（遊技装置体）６、ガラス（前面透明板）１０、発射ユニット（不図示）、球皿１４を有し、遊技盤６には、遊技媒体としての遊技球２３の流下による遊技を実現するための遊技領域１６が形成されている。また、遊技盤６の裏面側には、主制御基板ユニット（電子基板ユニット）Ｕ（図２参照）が取り付けられているが、詳細は後述する。
【００１５】
パチンコ機２は、後述する発射ハンドル１５を遊技者が操作することによって、遊技領域１６に向けて遊技球２３が発射ユニットによって発射され、遊技球２３の流下による遊技が実現される。なお、遊技機は、パチンコ機２の他にスロットマシン、パチンコ式スロットマシン機、コインゲーム機等のアーケードマシン、各種ゲーム機を概念することができ、要するに、遊技媒体を用いた遊技を実現する遊技装置体を有するあらゆる遊技機が含まれる。なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施形態においては、デジパチ遊技（１種遊技、図柄変動遊技ともいう。）を実現するいわゆる１種タイプのパチンコ機について例示説明する。
【００１６】
なお、本実施形態１においては、遊技機としてパチンコ機２を例示して説明するが、もちろん遊技機がパチンコ式スロットマシン機の場合にも本発明を適用することができる。その場合においては、パチンコ式スロットマシン機が有する遊技装置体としての回胴装置が、遊技媒体としてのメダルを用いた遊技を実現することとなる。
【００１７】
パチンコ機２の遊技機枠３は、遊技盤６を含む遊技盤ユニットを保持するためのもので、このパチンコ機２の周囲及び前方又はそれに加えて後方を囲むように構成される。遊技機枠３の内部側には、遊技盤ユニットの他にも後述する各種電子基板や遊技媒体用の経路等各種機構部品が配置され、遊技機枠３によって周囲側面及び前面又はそれに加えて後方からのパチンコ機２内部側への不正アクセスが防止されるようになっている。
【００１８】
パチンコ機２の周囲を囲む外枠４、その内側にヒンジ（揺動支持部）２２によって前方開閉可能に揺動支持されて遊技盤ユニットを保持する前枠９、前枠９の前方にヒンジ２２によって前方開閉可能に揺動支持されてガラス１０とその周囲を装飾する装飾部材３２とを保持するガラス枠１２とを有して遊技機枠３が構成される。なお、ガラス１０は、遊技機枠３内部側に保持された遊技盤６を前方から遊技者が視認することができるようにするための透明部材である。
【００１９】
球皿１４は、遊技者の持ち球を貯留するためにパチンコ機２の前面に配置された皿部材であって、本実施形態１においては上球皿１４ａと下球皿１４ｂとを有している。上球皿１４ａは、球排出ボタン１４ｃを有して遊技盤６の下方、すなわちガラス枠１２の下方部分に配置され、下球皿１４ｂは、その上球皿１４ａの更に下方に配置されている。
【００２０】
遊技盤ユニットは、遊技盤面（表面）６ａ側の略中央にセンター役物７が配置された遊技盤６を有しており、その遊技盤面６ａには多数の遊技釘も配置されている。センター役物７の中央部には、図柄表示装置７ａが配置されるとともに、この図柄表示装置７ａの表示画面（映像表示面）７ｂを露出させるための開口部７ｄが形成されている。
【００２１】
図柄表示装置７ａは、例えば、液晶表示装置・有機ＥＬディスプレイ・ＬＥＤ等により構成されて遊技者が遊技盤面６ａ側から視認可能となるように配置され、その表示画面７ｂ上に映像表示を行うものである。この表示画面７ｂ上には、例えば、３桁の数字又は文字等により構成される表示図柄７ｃが回転又は停止するように映像として表示される。また、例えば、キャラクター等によるストーリー仕立ての映像としての演出映像も表示画面７ｂ上に表示されるようになっている。
【００２２】
遊技盤６は、その遊技盤面６ａ側に遊技球２３の流下による遊技を実現するための遊技領域１６を構成するための遊技装置体であり、遊技盤面６ａを前方から遊技者にとって視認可能となるように遊技機枠３（本実施形態１においては、遊技機枠３の一部としての前枠９。）に保持されている。その遊技盤面６ａには略円形状に周囲を囲むようにレール飾りが取り付けられており、レール飾りの内周面が遊技盤面６ａに対して立設するように配置されている。そして、その内周面によって画定され、内周面に面した略円形状の領域が遊技領域１６となっている。
【００２３】
遊技釘は、遊技領域１６を流下する遊技球２３と衝突してその流下方向を変更させるものであり、多数が遊技領域内に配置されている。また、遊技領域１６には、普通入賞口２８、中央始動口２９、及び中央大入賞口３１等が配置されており、流下する遊技球２３が各流入口に流入したり、遊技釘に衝突したりすることによって、遊技球２３による流下遊技を楽しむことができるようになっている。
【００２４】
図示しない発射ユニットにより遊技球２３が発射されると、遊技球２３はレール飾りの内周面に沿いつつ進行して遊技領域１６内の上部に至る。その後、遊技球２３は、複数の通過軌跡に沿って移動し、遊技釘に衝突しつつ遊技領域１６を下方に流下する。あるものは普通入賞口２８に流入して一定数の景品球払出しの契機となり、あるものはゲート３３を通過し、あるものはいずれの入賞口にも流入せずに遊技領域内最下部に位置するアウト口３０に流入してアウト球としてパチンコ機２の外部側へと排出される。
【００２５】
遊技球２３がゲート３３を通過すると、そのゲート３３の通過に起因して状態変更抽選手段（不図示）による抽選が行われ、その抽選結果が当たりの場合に、中央始動口２９の開閉羽根が開放され、遊技球２３が入球し易い状態を実現する。この中央始動口２９に遊技球２３が流入すると、その流入に起因して図柄表示装置７ａの表示図柄７ｃが回転表示を開始し、その表示図柄７ｃが所定の図柄（例えば、「７・７・７」。）で停止表示すれば、図柄変動遊技における大当たりが発生する。そして、中央大入賞口３１が開放して多量の入賞球を受け入れ、多量の景品球が球皿１４へと払い出されるようになっている。
【００２６】
図２に示す通り、遊技盤６の裏面側には、パチンコ機２の全体の動作制御を行う制御手段としての主制御基板（電子基板）３４を有する主制御基板ユニットＵが配置されている。その主制御基板ユニットＵは、主制御基板３４と、主制御基板３４を収容する主制御基板ケース（基板ケース）３５とを有している。
【００２７】
また、遊技盤６の裏面側には、図柄表示装置７ａの画像演出の制御を行う画像制御基板（図示せず）を収容した画像制御基板ケース３６と、景品球の払出しを制御する払出制御基板（図示せず）を収容した払出制御基板ケース３７と、電源基板（図示せず）を収容した電源基板ケース３８と、が配置されている。この各制御基板ケースに収容された各電子基板によって遊技が実現される。更に、遊技盤６の裏面側には、パチンコ機２の遊技状態等の遊技情報を外部に出力するための外部出力端子板３９が設けられている。
【００２８】
なお、本実施形態１では、主制御基板３４について例示して説明するが、他の電子基板についても同様の構造を採用することが可能である。すなわち、画像制御基板（電子基板）と、画像制御基板ケース（基板ケース）とを有して画像制御基板ユニット（電子基板ユニット）を構成することが可能である。同様に、払出制御基板（電子基板）と、払出制御基板ケース（基板ケース）とを有して払出制御基板ユニット（電子基板ユニット）を構成したり、電源基板（電子基板）と、電源基板ケース（基板ケース）とを有して電源基板ユニット（電子基板ユニット）を構成することが可能である。
【００２９】
以下、実施形態１に係る主制御基板ユニット（電子基板ユニット）Ｕについて説明する。以下の説明においては、上下及び前後左右の方向は、遊技者からパチンコ機２を見た際の方向に基づいて定義し、図中に適宜図示する。
【００３０】
図３は、主制御基板ユニットＵの平面図であり、図４は、主制御基板ユニットＵの分解斜視図である。主制御基板ケース３５は、遊技盤６の裏面側に着脱自在に固定されるボトムケース（第１ケース、基板ケースの一部）３５ａと、ボトムケース３５ａに対して着脱自在に固定されるトップケース（第２ケース、基板ケースの一部）３５ｂとの２つのケースを有して構成され、これら両者が相互に重ね合わせられることにより協働して主制御基板３４を内部に収容するようになっている。主制御基板３４は、例えば、トップケース３５ｂの第２収容部５１（図４参照、詳細は後述する。）内に固定されて、トップケース３５ｂとボトムケース３５ａとが係合することにより、主制御基板ケース３５の内部に収容されるようになっている。この収容された状態では、主制御基板３４は主制御基板ケース３５の外部から接触することはできない。
【００３１】
主制御基板３４の表面（ここでいう表面は、前面側である場合と後面側である場合とを含む。）には、ＲＯＭ、ＲＡＭ、ＣＰＵ等の電子デバイス、接続コネクタ等を含む電子部品３４ｂが実装されている。主制御基板３４の周囲には、固定部としての固定穴３４ａが形成されている。主制御基板３４の前側から固定穴３４ａに固定ネジを挿入して、この固定ネジとトップケース３５ｂ側のネジ穴（不図示）とをネジ止めすることにより、主制御基板３４がトップケース３５ｂの第２収容部５１内に固定されるようになっている。
【００３２】
本実施形態１に係る主制御基板ケース３５では、ボトムケース３５ａとトップケース３５ｂとが図３中左右方向にスライド移動することによって着脱可能とされている。すなわち、ボトムケース３５ａとトップケース３５ｂとが相互に重ね合わせられてトップケース３５ｂがボトムケース３５ａに対して閉鎖方向Ｘにスライド操作されることにより主制御基板ケース３５は主制御基板３４を収容して閉鎖状態になる。ボトムケース３５ａに対してトップケース３５ｂを開放方向（−Ｘ）（閉鎖方向Ｘと逆の方向）に相対移動させると、主制御基板ケース３５は開状態（開放可能な状態）となる。なお、閉鎖方向Ｘは、ボトムケース３５ａの底面と平行な方向である。
【００３３】
主制御基板ケース３５の上側部には、痕跡残留部としての封止手段が形成されている。封止手段は、ボトムケース３５ａの上側壁面に対して突出して形成されたカシメ部３５ｇと、トップケース３５ｂに連結部材３５ｈを介して接続されたカシメ部３５ｋと、カシメ部３５ｇとカシメ部３５ｋとの間に収容可能な封止片３５ｍと、を有して構成される。主制御基板ケース３５の閉状態で、カシメ部３５ｇとカシメ部３５ｋとの間に封止片３５ｍを挿入することにより、封止片３５ｍがカシメ部３５ｇとカシメ部３５ｋとに嵌合及び係合し、主制御基板ケース３５の開放ができないようになっている。すなわち、この状態ではトップケース３５ｂとボトムケース３５ａとは、封止片３５ｍによって±Ｘ方向に相対移動ができない状態となっている。
【００３４】
図４に示す通り、ボトムケース３５ａは、主制御基板３４を少なくとも部分的に囲む第１収容部４１と、第１収容部４１の側部に配置された略中空状の第１封止部４２とを有する。トップケース３５ｂは、第１収容部４１と協働して主制御基板３４を収容する第２収容部５１と、第２収容部５１の側部に配置され、主制御基板ケース３５が閉鎖状態になった場合に第１封止部４２と協働して封止空間を形成する略中空状の第２封止部５２とを有する。詳細は後述するが、第２封止部５２の内側には後述する封止用移動コマ７１（図５及び図６参照）と係合する第１係合部としての第１溝部５２１ａ，第２溝部５２１ｂが設けられている。
【００３５】
図５は、図２に示す主制御基板ユニットＵに含まれる封止機構Ｓを分解斜視した際の模式図である。図５では、ボトムケース３５ａについては第１収容部４１と第１封止部４２との境界面側から斜めに矢視した第１封止部４２が示されており、トップケース３５ｂについては第２収容部５１と第２封止部５２との境界面側から斜めに矢視した第２封止部５２が示されている。封止機構Ｓは、第１封止部４２と、第２封止部５２と、垂直移動規制部６１と、封止用移動コマ７１とを有して構成されている。
【００３６】
垂直移動規制部６１は、第１封止部４２の底面４２ｂと平行となるように第１封止部４２の内部に固定された板部である。垂直移動規制部６１は、ボトムケース３５ａとトップケース３５ｂとが重ね合わせられた際に第１封止部４２と第２封止部５２とによって形成される封止空間に配置される封止用移動コマ７１が第２封止部５２の上面５２ｕ側に移動することを規制する。垂直移動規制部６１より第１封止部４２の底面側の位置には下板部６２が配置されている。下板部６２は垂直移動規制部６１と平行な板部である。なお、垂直移動規制部６１は、上記の移動規制機能を発揮するものであれば、その形状や配置に特段の限定はなく、例えば、第１封止部４２の底面４２ｂと平行でなくてもよい。
【００３７】
垂直移動規制部６１及び下板部６２は、第１封止部４２の底面４２ｂに固定された板状の第１支持部６３及び第２支持部６４に固定して支持されている。第１支持部６３の外側面にはボトムケース３５ａの第１封止部４２の前後方向に延びる第１突部８６が設けられており、第２支持部６４の外側面にも第１封止部４２の前後方向に延びる第２突部８７が設けられている。
【００３８】
封止用移動コマ７１は、ボトムケース３５ａとトップケース３５ｂとの封止機能を実現するための部材であって、ボトムケース３５ａとトップケース３５ｂとが重ね合わせられた際に第１封止部４２と第２封止部５２とによって形成される封止空間に配置される。封止用移動コマ７１が封止空間に配置された後、ボトムケース３５ａに対してトップケース３５ｂが閉鎖方向Ｘにスライド操作されて主制御基板ケース３５が閉鎖状態になった後でトップケース３５ｂがボトムケース３５ａに対して閉鎖方向Ｘと逆の開放方向（−Ｘ）にスライド操作された場合に開放方向（−Ｘ）にスライドする。
【００３９】
封止用移動コマ７１は、具体的にはボトムケース３５ａの第１封止部４２の内部に配置される部材であって、第１脚部１８１及び第２脚部１８２と、第１脚部１８１及び第２脚部１８２との間に配置された板部１８３とを有する。板部１８３は、主制御基板ケース３５が閉鎖状態になった後でトップケース３５ｂがボトムケース３５ａに対して開放方向（−Ｘ）にスライド操作された場合に垂直移動規制部６１と第１封止部４２の底面４２ｂとの間に位置する。より具体的には、板部１８３は、主制御基板ケース３５が閉鎖状態になった後でトップケース３５ｂがボトムケース３５ａに対して開放方向（−Ｘ）にスライド操作された場合に垂直移動規制部６１と下板部６２との間に挿入される。その結果、垂直移動規制部６１は、封止用移動コマ７１の板部１８３と第２封止部５２の上面との間に位置し、封止用移動コマ７１の第２封止部５２の上面側への移動を規制する。
【００４０】
封止用移動コマ７１の第１脚部１８１の内側面には、前後方向に延びる第１溝部１８１ａが形成されている。第１溝部１８１ａには、第１突部８６が嵌合可能となっている。第２脚部１８２の内側面においても前後方向に延びる第２溝部１８２ａが形成されており、その第２溝部１８２ａに第２突部８７が嵌合可能となっている。第１突部８６及び第２突部８７が第１溝部１８１ａ及び第２溝部１８２ａに各々嵌合されると、封止用移動コマ７１は、左右方向（±Ｘ方向）の位置決めがされた状態で前後方向にスライド移動可能となる。この状態で封止用移動コマ７１を第１封止部４２の底面４２ｂ側に押し込むことにより、封止用移動コマ７１を第１封止部４２内に配置する。
【００４１】
封止用移動コマ７１は、第１脚部１８１及び第２脚部１８２の外側面において、第２封止部５２の第１溝部５２１ａ，第２溝部５２１ｂと係合する第２係合部としての第１鉤部５０１及び第２鉤部５０２を有している。封止用移動コマ７１は、第１脚部１８１において、封止用移動コマ７１が第１封止部４２の内部に配置された場合に第１収容部４１と最も近くなる位置に、外側に開いた第１拡張部５０３を有する。封止用移動コマ７１は、第２脚部１８２においても、封止用移動コマ７１が第１封止部４２の内部に配置された場合に第１収容部４１と最も近くなる位置に、外側に開いた第２拡張部５０４を有する。
【００４２】
トップケース３５ｂの第２封止部５２は、対向する二つの側面の内部において、封止用移動コマ７１の第１鉤部５０１及び第２鉤部５０２と係合する第２係合部としての第１溝部５２１ａ，第２溝部５２１ｂを有している。なお、図５では第１溝部５２１ａは示されていない。第１溝部５２１ａは図６、８及び１０において示されている。第１溝部５２１ａ，第２溝部５２１ｂは、同様の構成のものであって、後方に向けて凹状に開口しており、左右方向（±Ｘ方向）に向けて延びている。第１溝部５２１ａ，第２溝部５２１ｂは、封止用移動コマ７１の第１鉤部５０１，第２鉤部５０２と係合するものであって、第２封止部５２内部における左端側に設けられている。基板ケース３５の組付けの際、ボトムケース３５ａに対してトップケース３５ｂを左側にずらした状態で重ね合わせるときに、第１、第２溝部５２１ａ，５２１ｂは第１封止部４２内部であって、第１、第２鉤部５０１，５０２よりも左方に位置するようになっている。
【００４３】
第２封止部５２は、第１溝部５２１ａ，第２溝部５２１ｂより右側（すなわち、第２収容部５１側）の位置に、上面５２ｕから前方に向けて突起する第１支援部２２２ａ，第２支援部２２２ｂを有する。なお、図５では第１支援部２２２ａは示されていない。第１支援部２２２ａは図６から１２において示されている。第１支援部２２２ａ，第２支援部２２２ｂは、主制御基板ケース３５が閉鎖状態になった後でトップケース３５ｂがボトムケース３５ａに対して開放方向（−Ｘ）にスライド操作された場合に封止用移動コマ７１を開放方向（−Ｘ）にスライドさせるためのものである。
【００４４】
第１支援部２２２ａ，第２支援部２２２ｂは、トップケース３５ｂがボトムケース３５ａに対して閉鎖方向Ｘにスライド操作される前には封止用移動コマ７１の第１拡張部５０３，第２拡張部５０４より左側に位置する。第１支援部２２２ａ，第２支援部２２２ｂは、トップケース３５ｂがボトムケース３５ａに対して閉鎖方向Ｘにスライド操作された場合に閉鎖方向Ｘにスライドして第１拡張部５０３，第２拡張部５０４を閉鎖方向Ｘに向けて押圧する。その押圧により第１拡張部５０３，第２拡張部５０４は内側にしなり、それにより、第１支援部２２２ａ，第２支援部２２２ｂは、第１拡張部５０３，第２拡張部５０４を乗り越える。その結果、第１拡張部５０３，第２拡張部５０４のしなりは解除され、主制御基板ケース３５が閉鎖状態になったときに、第１支援部２２２ａ及び第２支援部２２２ｂは、第１拡張部５０３，第２拡張部５０４の右側に位置することとなる。
【００４５】
主制御基板ケース３５が閉鎖状態になった後でトップケース３５ｂがボトムケース３５ａに対して開放方向（−Ｘ）にスライド操作された場合、第１支援部２２２ａ，第２支援部２２２ｂは、第１拡張部５０３，第２拡張部５０４を開放方向（−Ｘ）に押し、それにより封止用移動コマ７１を開放方向（−Ｘ）にスライドさせる。なお、主制御基板ケース３５の閉鎖状態において、垂直移動規制部６１と対向する第２封止部５２の上面５２ｕ部分には、部分的に薄肉とされた肉薄部４４４が形成されている。
【００４６】
次に、主制御基板ユニットＵの使用方法を説明する。図６は、図５に示す封止機構Ｓにおいて、封止用移動コマ７１が第１封止部４２に配置され、かつ第２封止部５２が第１封止部４２を覆った状態を第２封止部５２の上面５２ｕに平行な平面であって上面５２ｕ直下の平面で切った際の断面図である。図７は、図６に示す状態を収容部４１，５１側から斜めに矢視した斜視図である。
【００４７】
図６及び７に示す通り、第１突部８６及び第２突部８７を第１溝部１８１ａ及び第２溝部１８２ａに各々嵌合し、封止用移動コマ７１を第１封止部４２の底面４２ｂ側に押し込む。これにより、封止用移動コマ７１を第１封止部４２内に配置する。その際、封止用移動コマ７１は第１支持部６３及び第２支持部６４に密着し、それにより第１封止部４２の内部に取り付けられる。そして、トップケース３５ｂをボトムケース３５ａに対して少し左にずらした状態で取り付ける。そのとき、トップケース３５ｂ側の第１溝部５２１ａ，第２溝部５２１ｂが封止用移動コマ７１の第１鉤部５０１及び第２鉤部５０２内部に位置し、第１支援部２２２ａ，第２支援部２２２ｂは第１拡張部５０３，第２拡張部５０４よりも左側に位置する。
【００４８】
図８は、図５に示す封止機構Ｓにおいて、第２封止部５２を図６及び７の状態から閉鎖方向Ｘにスライド操作したことにより第２封止部５２が第１封止部４２を完全に覆った状態を第２封止部５２の上面５２ｕに平行な平面であって上面５２ｕ直下の平面で切った際の断面図である。図９は、図８に示す状態を収容部４１，５１側から斜めに矢視した斜視図である。
【００４９】
封止用移動コマ７１は、第１封止部４２に配置された際、上述の通り第１封止部４２の内部に取り付けられている。そのため、トップケース３５ｂを図６及び７の状態から閉鎖方向Ｘにスライド操作すると、図８及び９に示す通り、第２封止部５２における第１支援部２２２ａ，第２支援部２２２ｂは、閉鎖方向Ｘにおいて封止用移動コマ７１の第１拡張部５０３，第２拡張部５０４を乗り越えて、第１拡張部５０３，第２拡張部５０４の右側に位置する。これにより、トップケース３５ｂのボトムケース３５ａへの取付けが完了する。すなわち、主制御基板ケース３５は主制御基板３４を収容して閉鎖状態になる。このとき、トップケース３５ｂ側の第１溝部５２１ａ，第２溝部５２１ｂと封止用移動コマ７１の第１鉤部５０１及び第２鉤部５０２とは係合する。なお、この主制御基板ケース３５においては、実施形態２の図１３を用いて後述する突起部４００及び溝部４０１を有しているため、閉鎖状態では第１収容部４１及び第２収容部５１が前後方向に開放不可能となっている。加えて、封止片の取り付けによって、主制御基板ケース３５は一層強固に開放不可能となっている。
【００５０】
図１０は、図５に示す封止機構Ｓにおいて、主制御基板ケース３５が主制御基板３４を収容した閉鎖状態から、すなわち図８及び９の状態からトップケース３５ｂの第２封止部５２を開放方向（−Ｘ）にスライド操作した状態を第２封止部５２の上面５２ｕに平行な平面であって上面５２ｕ直下の平面で切った際の断面図である。図１１は、図１０に示す状態を収容部４１，５１側から斜めに矢視した斜視図である。
【００５１】
トップケース３５ｂとボトムケース３５ａとが閉鎖状態になり主制御基板ケース３５に主制御基板３４が収容された後に、収容された主制御基板３４に不正にアクセスしようとして、トップケース３５ｂが開放方向（−Ｘ）にスライド操作された状況を想定する。その際、第１拡張部５０３，第２拡張部５０４が第１支援部２２２ａ，第２支援部２２２ｂにより開放方向（−Ｘ）に押される。そして、第１突部８６，第２突部８７と第１溝部１８１ａ，第２溝部１８２ａとの各々の嵌合がはずれ、封止用移動コマ７１は開放方向（−Ｘ）にスライドする。このように、第１突部８６，第２突部８７と第１溝部１８１ａ，第２溝部１８２ａは、トップケース３５ｂを閉鎖方向Ｘにスライド操作させる際にははずれず、トップケース３５ｂを開放方向（−Ｘ）にスライド操作させる際には外れる程度の強度で嵌合されている。なお、トップケース３５ｂを開放方向（−Ｘ）にスライド移動させても、トップケース３５ｂ側の第１溝部５２１ａ，第２溝部５２１ｂと封止用移動コマ７１の第１鉤部５０１及び第２鉤部５０２との係合は解除されない。
【００５２】
封止用移動コマ７１が開放方向（−Ｘ）にスライドすると、封止用移動コマ７１の板部１８３は、垂直移動規制部６１と下板部６２との間に挿入される。封止用移動コマ７１の板部１８３が垂直移動規制部６１の前方に位置するので、この状態で封止用移動コマ７１の後方移動（上面５２ｕ側への移動）が規制されることとなる。
【００５３】
更に、図１２に示す通り、前後方向において、第１溝部５２１ａ，第２溝部５２１ｂと第１鉤部５０１及び第２鉤部５０２とが係合しているので、トップケース３５ｂの後方移動は封止用移動コマ７１によって規制されることとなる。
【００５４】
図１２は、図１１に示す封止機構Ｓの前後方向において、第１溝部５２１ａ，第２溝部５２１ｂと第１鉤部５０１，第２鉤部５０２とが係合した状態を示す図であって、第１収容部４１及び第２収容部５１から右方向に封止機構Ｓを見た図である。図１２に示す通り、第１溝部５２１ａ，第２溝部５２１ｂと、第１鉤部５０１，第２鉤部５０２とは係合するので、ボトムケース３５ａの前後方向において、トップケース３５ｂがボトムケース３５ａから取り除かれることを強固に防止することができる。
【００５５】
すなわち、実施形態１の主制御基板ユニットＵは、主制御基板３４を収容する主制御基板ケース３５が開放されることをより強固に防止することができる。加えて、実施形態１の主制御基板ユニットＵでは、封止片を破壊し、その後に主制御基板ケース３５を構成するボトムケース３５ａ及びトップケース３５ｂ、並びに封止用移動コマ７１及び垂直移動規制部６１の一部又は全部を破壊しない限り、主制御基板ケース３５を開放する不正行為を行うことができないようになっている。
【００５６】
主制御基板ケース３５内に収容された主制御基板３４にアクセスする場合は、第２封止部５２の上面の肉薄部４４４を破壊することにより第２封止部５２を破壊し、次に封止用移動コマ７１の板部１８３（又は垂直移動規制部６１）を破壊する。これにより、封止用移動コマ７１の後方移動の規制が解除され、トップケース３５ｂをボトムケース３５ａに対して後方開放することができるようになる。
【００５７】
なお、上述した実施形態１では、垂直移動規制部６１及び下板部６２は、第１封止部４２の底面４２ｂに固定された板状の第１支持部６３及び第２支持部６４に固定して支持されている。しかしながら、垂直移動規制部６１は、底面４２ｂと平行となるように第１封止部４２の側面に固定されていてもよい。すなわち、第１支持部６３及び第２支持部６４は設けられていなくてもよい。下板部６２も設けられていなくてもよい。更に言うと、垂直移動規制部６１は第１封止部４２の側面に固定されていなくてもよい。要するに、垂直移動規制部６１は、第１封止部４２と第２封止部５２とによって形成される封止空間に配置される封止用移動コマ７１が第２封止部５２の上面５２ｕ側に移動することを規制することができるものであって、第１封止部４２の内部に配置されればよい。
【００５８】
上述した実施形態１では、垂直移動規制部６１は板部であるが、板部には湾曲した板状部も含まれる。同様に、板部１８３には湾曲した板状部も含まれる。垂直移動規制部６１は、板部の垂直移動規制部６１の一部を構成する棒状部に置き換えられてもよい。同様に、板部１８３も、板部の板部１８３の一部を構成する棒状部に置き換えられてもよい。
【００５９】
上述した実施形態１では、第１支持部６３には第１突部８６が、第２支持部６４には第２突部８７がそれぞれ設けられており、第１脚部１８１には第１溝部１８１ａが、第２脚部１８２には第２溝部１８２ａがそれぞれ設けられている。しかしながら、第１支持部６３，第２支持部６４に溝部が設けられ、第１脚部１８１，第２脚部１８２に凸部が設けられていてもよい。要するに、垂直移動規制部６１及び封止用移動コマ７１には、相手方と嵌合又は係合する構成要素が設けられていればよい。その構成要素として凸部が採用される場合、連続して延びるものであってもよいし、点状のものであってもよい。
【００６０】
［実施形態２］
次に、実施形態２について図面を用いて説明する。実施形態２と実施形態１との相違点は、主制御基板ユニットＵの構成のみであるので、実施形態２では、実施形態１と相違する主制御基板ユニットＵの構成のみを説明する。
【００６１】
図１３は、実施形態２の主制御基板ユニットＵの分解斜視図である。実施形態２の主制御基板ユニットＵは、実施形態１の主制御基板ユニットＵと同様に、パチンコ機２の裏面側により具体的には遊技盤６の裏面側に取り付けられる主制御基板ケース（基板ケース）３５Ａと、第１カシメ部材６００と、第２カシメ部材７００とを有する。主制御基板ケース３５Ａは、ボトムケース（第１ケース）３５ｘと、トップケース（第２ケース）３５ｙとにより構成される。
【００６２】
主制御基板ケース３５Ａには、図１３には示されていないが、実施形態１と同様に、パチンコ機２における遊技に係る動作を制御するための主制御基板３４が収容される。ボトムケース３５ｘとトップケース３５ｙとが相互に重ね合わせられてトップケース３５ｙがボトムケース３５ｘに対して閉鎖方向Ｘにスライド操作されることにより主制御基板ケース３５Ａは主制御基板３４を収容して閉鎖状態になる。主制御基板３４は、主制御基板ケース３５Ａに収容されると、主制御基板ケース３５Ａの外部から接触することができなくなる。
【００６３】
実施形態２の主制御基板ユニットＵにおける封止機構Ｓの構成について図１４を用いて更に説明する。図１４は、実施形態２の主制御基板ユニットＵの前後方向と平行な平面における主制御基板ユニットＵの封止機構Ｓの断面図である。ボトムケース３５ｘは第１収容部３５１と第１封止部３５２とを有する。第１収容部３５１は、主制御基板３４を少なくとも部分的に囲むものであって、長方形の底面と底面の各辺において設けられた側面とを有し、第１収容部３５１の長辺方向における二つの側面それぞれの上辺部の２箇所においてＬ字型の突起部４００が形成されている。突起部４００は、第２収容部３５６の溝部４０１とともに垂直移動規制構造の一例である。溝部４０１の詳細は後述する。
【００６４】
ボトムケース３５ｘの第１封止部３５２は、ボトムケース３５ｘの前後方向に空洞が形成されている筒状のものであって、第１収容部３５１の側部に配置されている。更に言うと、第１封止部３５２は、軸に直交する断面が四角形となるように四つの面により形成されており、ボトムケース３５ｘの空洞には第１カシメ部材６００が挿入される。第１封止部３５２の四つの内側面のそれぞれには、第１カシメ部材６００の対応する第１鉤６０１と係合可能な第２切り欠き（第３係合部）６１６が形成されている。
【００６５】
トップケース３５ｙは、第２収容部３５６と、第２封止部３５７とを有する。第２収容部３５６は、第１収容部３５１と協働して主制御基板３４を収容するものであって、第１収容部３５１と同様に長方形の底面と底面の各辺において設けられた側面とを有し、実施形態１と同様に第２収容部３５６の底面には主制御基板３４が固定される。
【００６６】
第２収容部３５６の長辺方向における二つの側面それぞれの内側には、第１収容部３５１の対応する突起部４００が嵌る溝部４０１が形成されている。ボトムケース３５ｘの各突起部４００を、主制御基板３４が内側に固定されたトップケース３５ｙの対応する溝部４０１に嵌めて、トップケース３５ｙをボトムケース３５ｘの底面側にスライドさせる。その後、ボトムケース３５ｘの底面と平行な閉鎖方向Ｘにトップケース３５ｙをスライドさせる。上述の２回のスライド操作により、主制御基板ケース３５Ａは閉鎖状態になり、前後方向においてボトムケース３５ｘ及びトップケース３５ｙの一方が他方から離れる方向に移動することが規制される。
【００６７】
突起部４００及び溝部４０１は、主制御基板ケース３５Ａが閉鎖状態になった場合に、前後方向においてボトムケース３５ｘ及びトップケース３５ｙの一方が他方から離れる方向に移動することを協働して規制するための垂直移動規制構造の一例である。実施形態２においても、実施形態１と同様に、封止片を含む封止手段を用いて、主制御基板ケース３５Ａが開放されることを防止する。主制御基板ケース３５Ａが閉鎖状態になった後に、仮に封止手段に対して不正なアクセスが行われて封止部が破壊されても、突起部４００と溝部４０１とによる垂直移動規制構造により、前後方向においてボトムケース３５ｘ及びトップケース３５ｙの一方が他方から離れる方向に移動することを防止することができる。
【００６８】
第２封止部３５７は第１封止部３５２と同様のものであって、前後方向に空洞が形成されている筒状のものであり、軸に直交する断面が四角形となるように四つの面により形成されており、第２収容部３５６の側部に配置されている。更に言うと、第２封止部３５７は、主制御基板ケース３５Ａが閉鎖状態になった場合に第１封止部３５２と連続し、第１封止部３５２の空洞と第２封止部３５７の空洞とは連通する。第２封止部３５７の空洞には第１カシメ部材６００が挿入される。
【００６９】
第１カシメ部材６００及び第２カシメ部材７００は、主制御基板ケース３５Ａが閉鎖状態になった場合に第１封止部３５２と第２封止部３５７との連通する空間に配置されて、開放方向（−Ｘ）においてボトムケース３５ｘとトップケース３５ｙとの封止機能を実現するための部材である。
【００７０】
第１カシメ部材６００は、第１筒部６０２と、第１筒部６０２の一方の端部側に設けられている第１蓋部６０３とを有し、第１筒部６０２の他方の端部側は開口となっている。第１筒部６０２は軸に直交する断面が四角形となるように四つの面により形成されている筒であり、第１筒部６０２の四つの外側面のそれぞれには第１鉤（第１係合部）６０１が形成されている。四つの第１鉤６０１のそれぞれは、第１筒部６０２における同じ高さの位置に設けられている。第１筒部６０２の四つの内側面のそれぞれには、第１切り欠き（第２係合部）６０４が形成されている。四つの第１切り欠き６０４のそれぞれは、第１筒部６０２における同じ高さの位置に設けられている。
【００７１】
第２カシメ部材７００は、第１カシメ部材６００の空洞に配置されるものであって、第２筒部７０２と、第２筒部７０２の一方の端部側に設けられている第２蓋部７０３とを有し、第２筒部７０２の他方の端部側は開口となっている。第２筒部７０２は軸に直交する断面が四角形となるように四つの面により形成されている筒であり、第２筒部７０２の四つの外側面のそれぞれには第１切り欠き６０４と係合可能な第２鉤（第４係合部）７０１が形成されている。四つの第２鉤７０１のそれぞれは、第２筒部７０２における同じ高さの位置に設けられている。
【００７２】
上述の通り、主制御基板ケース３５Ａが主制御基板３４を収容して閉鎖状態になった場合、第１封止部３５２の空洞と第２封止部３５７の空洞とは連通し、その空洞には第１カシメ部材６００が挿入される。主制御基板ケース３５Ａが主制御基板３４を収容して閉鎖状態になった後でトップケース３５ｙがボトムケース３５ｘに対して開放方向（−Ｘ）にスライドすることを規制するために、第１カシメ部材６００の第１鉤６０１から第１蓋部６０３までの長さは、第１封止部３５２の第２切り欠き６１６から第２封止部３５７と接触する端部までの長さより長い。
【００７３】
次に、実施形態２の主制御基板ユニットＵの使用方法について説明する。まず、主制御基板３４を第２収容部３５６の内側に固定する。そして、第１収容部３５１と第２収容部３５６とを重ね合わせるようにして、ボトムケース３５ｘとトップケース３５ｙとを重ね合わせる。そして、トップケース３５ｙをボトムケース３５ｘに対して閉鎖方向Ｘにスライドさせてボトムケース３５ｘをトップケース３５ｙにより覆う。次に、突起部４００と溝部４０１とを用いて、ボトムケース３５ｘにトップケース３５ｙを取り付ける。これにより、主制御基板ケース３５Ａは主制御基板３４を収容して閉鎖状態になる。
【００７４】
主制御基板ケース３５Ａが閉鎖状態になると、第１封止部３５２と第２封止部３５７とは前後方向において連続する。そうすると、第１カシメ部材６００を、第１カシメ部材６００の開口から第２封止部３５７の空洞を介して第１封止部３５２の空洞に挿入する。そして、第１カシメ部材６００の第１鉤６０１を第１封止部３５２の第２切り欠き６１６に引っ掛けて第１鉤６０１と第２切り欠き６１６とを係合させる。第１鉤６０１と第２切り欠き６１６とが係合することにより、第１カシメ部材６００と第１封止部３５２とは係合する。
【００７５】
上述の通り、第１カシメ部材６００の第１鉤６０１から第１蓋部６０３までの長さは、第１封止部３５２の第２切り欠き６１６から第２封止部３５７と接触する端部までの長さより長い。そのため、第１カシメ部材６００の外側面の一部は第２封止部３５７の内側面の一部と対向する。これにより、トップケース３５ｙをボトムケース３５ｘに対して左右方向（±Ｘ方向）に動かそうとしても、第１封止部３５２と第２封止部３５７との連通する空洞に収容された第１カシメ部材６００の外側面がトップケース３５ｙの移動を規制する。つまり、トップケース３５ｙがボトムケース３５ｘに対して開放方向（−Ｘ）にスライドすることを防止することができる。更に言うと、仮に封止片を含む封止手段に対して不正なアクセスが行われて封止部が破壊されても、第１カシメ部材６００により、トップケース３５ｙがボトムケース３５ｘに対して開放方向（−Ｘ）にスライドすることを防止することができる。
【００７６】
第２カシメ部材７００を、第２カシメ部材７００の開口から第１カシメ部材６００の空洞に挿入する。そして、第２鉤７０１を第１切り欠き６０４に引っ掛けて第２鉤７０１と第１切り欠き６０４とを係合させる。これにより、第１カシメ部材６００及び第２カシメ部材７００の空洞は、第１蓋部６０３と第２蓋部７０３とによって閉鎖空間となる。したがって、第１鉤６０１と第２切り欠き６１６との係合が主制御基板ユニットＵの外部から不正にアクセスされることを防止することができる。その結果、トップケース３５ｙがボトムケース３５ｘに対して開放方向（−Ｘ）にスライドすることを防止することができる。
【００７７】
すなわち、実施形態２の主制御基板ユニットＵは、主制御基板３４を内包する主制御基板ケース３５Ａが開放されることをより強固に防止することができる。加えて、実施形態２の主制御基板ユニットＵは、主制御基板ケース３５Ａを開放する不正行為が万一行われた場合、第１カシメ部材６００等が破壊されるので、上記不正行為が行われた痕跡を確実に残存させることができる。最後に、ボトムケース３５ｘ又はトップケース３５ｙを、パチンコ機２の裏面側に、より具体的には遊技盤６の裏面側に取り付ける。
【００７８】
なお、上述した実施形態２では、第１封止部３５２は、軸に直交する断面が四角形である筒体である。しかしながら、その筒体は、第１カシメ部材６００が収められ、かつ第１鉤６０１と係合可能な第２切り欠き６１６が内側面に形成されている筒体であれば、円筒等の筒体であってもよい。筒体の形態は限定されない。第２切り欠き６１６の個数は、第１鉤６０１の個数に対応していることが好ましいが限定されない。同様に、第２封止部３５７も、第１カシメ部材６００が収められる筒体であれば、円筒等の筒体であってもよい。筒体の形態は限定されない。
【００７９】
更に、第１筒部６０２は、第２切り欠き６１６と係合可能な第１鉤６０１が外側面に設けられていれば、円筒等の筒体であってもよい。筒体の形態は限定されない。第１鉤６０１の個数は、第２切り欠き６１６の個数に対応していることが好ましいが限定されない。第１切り欠き６０４の個数は、第２カシメ部材７００の第２鉤７０１の個数に対応していることが好ましいが限定されない。
【００８０】
同様に、第２筒部７０２は、第１切り欠き６０４と係合可能な第２鉤７０１が外側面に設けられていれば、円筒等の筒体であってもよい。筒体の形態は限定されない。第２鉤７０１の個数は、第１切り欠き６０４の個数に対応していることが好ましいが限定されない。
【００８１】
上述の実施形態２では、第１鉤６０１と第２切り欠き６１６とが係合する。第１鉤６０１と第２切り欠き６１６とは、互いに相手方に係合可能なものであれば、鉤又は切り欠き以外のものに置き換えられてもよい。同様に、第２鉤７０１と第１切り欠き６０４とについても、互いに相手方に係合可能なものであれば、鉤又は切り欠き以外のものに置き換えられてもよい。
【００８２】
上述した実施形態２では、ボトムケース３５ｘ又はトップケース３５ｙを、パチンコ機２の裏面側に取り付ける。ボトムケース３５ｘをパチンコ機２の裏面側に取り付ける場合、第１カシメ部材６００の空洞は、第１蓋部６０３とパチンコ機２の裏面側とによって閉鎖空間となるので、第２カシメ部材７００を使用しなくてもよい。上記の場合、第１カシメ部材６００の内側面には、第２鉤７０１と係合する第１切り欠き６０４は形成されなくてもよい。
【００８３】
上述した実施形態２では、垂直移動規制構造として、突起部４００と溝部４０１とを用いた。しかしながら、垂直移動規制構造は突起部４００と溝部４０１との組合せの構造に限定されない。例えば、垂直移動規制構造は以下のような構造であってもよい。
【００８４】
すなわち、第１収容部３５１の長辺方向における二つの側面それぞれの内側には２箇所においてＬ字型の溝部が形成されており、かつ第２収容部３５６の長辺方向における二つの側面それぞれの内側には、第１収容部３５１の対応する溝部に嵌められる突起部が形成されている。それら溝部と突起部とを垂直移動規制構造の一例としてもよい。
【００８５】
以上、本発明の実施形態及びその他の例を説明したが、本発明及び本発明に関連する発明はそれらに限定されるものではなく、それらの要旨の範囲内で様々な変形や変更が可能である。
【００８６】
本発明に関連する発明として、以下の趣旨の発明が含まれる。
【００８７】
［趣旨１］
遊技に係る動作を制御するための電子基板と、
前記電子基板を収容する基板ケースと、
第１カシメ部材と、
第２カシメ部材とを備え、遊技機の裏面側に取り付けられる電子基板ユニットであって、
前記基板ケースは、相互に重ね合わせられることにより前記電子基板を収容する第１ケース及び第２ケースを有し、
前記第１ケースと前記第２ケースとが相互に重ね合わせられて前記第２ケースが前記第１ケースに対して閉鎖方向にスライド操作されることにより前記基板ケースは前記電子基板を収容して閉鎖状態になり、
前記第１ケースは、前記電子基板を少なくとも部分的に囲む第１収容部と、前記第１収容部の側部に配置された筒状の第１封止部とを有し、
前記第２ケースは、前記第１収容部と協働して前記電子基板を収容する第２収容部と、前記第２収容部の側部に配置され、前記基板ケースが閉鎖状態になった場合に前記第１封止部と連続する筒状の第２封止部とを有し、
前記第１収容部及び前記第２収容部は、前記基板ケースが閉鎖状態になった場合に前記第１ケースの底面と垂直な方向において前記第１ケース及び前記第２ケースの一方が他方から離れる方向に移動することを協働して規制するための垂直移動規制構造を有し、
前記第１カシメ部材及び前記第２カシメ部材は、前記基板ケースが閉鎖状態になった場合に前記第１封止部と前記第２封止部との連通する空間に配置されて前記第１ケースと前記第２ケースとの封止機能を実現するための部材であって、
前記第１カシメ部材は、外側面に第１係合部が形成されており内側面に第２係合部が形成されている第１筒部と、前記第１筒部の一方の端部側に設けられている第１蓋部とを有し、前記第１筒部の他方の端部側は開口となっており、
前記第１封止部の内側面には、前記第１係合部と係合可能な第３係合部が形成されており、
前記第２カシメ部材は、外側面に前記第２係合部と係合可能な第４係合部が形成されており前記第１筒部の空洞に配置される第２筒部と、前記第２筒部の一方の端部側に設けられている第２蓋部とを有し、前記第２筒部の他方の端部側は開口となっており、
前記第１係合部から前記第１蓋部までの長さは、前記第１封止部の前記第３係合部から前記第２封止部と接触する端部までの長さより長く、
前記基板ケースが閉鎖状態になった後に前記第１カシメ部材が前記第１カシメ部材の開口から前記第２封止部の空洞を介して前記第１封止部の空洞に挿入されて前記第１係合部と前記第３係合部とが係合し、前記第２カシメ部材が前記第２カシメ部材の開口から前記第１カシメ部材の前記第１筒部の空洞に挿入されて前記第２係合部と前記第４係合部とが係合し、前記第１カシメ部材及び前記第２カシメ部材が前記第１封止部と前記第２封止部との連通する空洞に収容されることにより、前記第２ケースが前記第１ケースに対して前記閉鎖方向と逆の開放方向にスライドすることを規制する
電子基板ユニット。
【００８８】
［趣旨２］
遊技に係る動作を制御するための電子基板と、
前記電子基板を収容する基板ケースと、
カシメ部材とを備え、遊技機の裏面側に取り付けられる電子基板ユニットであって、
前記基板ケースは、相互に重ね合わせられることにより前記電子基板を収容する第１ケース及び第２ケースを有し、
前記第１ケースと前記第２ケースとが相互に重ね合わせられて前記第２ケースが前記第１ケースに対して閉鎖方向にスライド操作されることにより前記基板ケースは前記電子基板を収容して閉鎖状態になり、
前記第１ケースは、前記電子基板を少なくとも部分的に囲む第１収容部と、前記第１収容部の側部に配置された筒状の第１封止部とを有し、
前記第２ケースは、前記第１収容部と協働して前記電子基板を収容する第２収容部と、前記第２収容部の側部に配置され、前記基板ケースが閉鎖状態になった場合に前記第１封止部と連続する筒状の第２封止部とを有し、
前記第１収容部及び前記第２収容部は、前記基板ケースが閉鎖状態になった場合に前記第１ケースの底面と垂直な方向において前記第１ケース及び前記第２ケースの一方が他方から離れる方向に移動することを協働して規制するための垂直移動規制構造を有し、
前記カシメ部材は、前記基板ケースが閉鎖状態になった場合に前記第１封止部と前記第２封止部との連通する空間に配置されて前記第１ケースと前記第２ケースとの封止機能を実現するための部材であって、
前記カシメ部材は、外側面に第１係合部が形成されている筒部と、前記筒部の一方の端部側に設けられている蓋部とを有し、前記筒部の他方の端部側は開口となっており、
前記第１封止部の内側面には、前記第１係合部と係合可能な第２係合部が形成されており、
前記第１係合部から前記蓋部までの長さは、前記第１封止部の前記第２係合部から前記第２封止部と接触する端部までの長さより長く、
前記基板ケースが閉鎖状態になった後に前記カシメ部材が前記カシメ部材の開口から前記第２封止部の空洞を介して前記第１封止部の空洞に挿入されて前記第１係合部と前記第２係合部とが係合し、前記カシメ部材が前記第１封止部と前記第２封止部との連通する空洞に収容されることにより、前記第２ケースが前記第１ケースに対して前記閉鎖方向と逆の開放方向にスライドすることを規制し、
前記第１ケースが、前記遊技機の裏面側に取り付けられる
電子基板ユニット。
【００８９】
［趣旨３］
遊技媒体を用いた遊技を実現する遊技装置体と、
前記遊技装置体を遊技者に視認可能に保持する遊技機枠と、
前記遊技媒体を貯留する球皿と、
趣旨１又は２に記載の電子基板ユニットと
を備える遊技機。
【符号の説明】
【００９０】
Ｓ：封止機構
Ｕ：主制御基板ユニット
Ｘ：閉鎖方向
２：パチンコ機
３：遊技機枠
４：外枠
６：遊技盤
６ａ：遊技盤面
７：センター役物
７ａ：図柄表示装置
７ｂ：表示画面（映像表示面）
７ｃ：表示図柄
７ｄ：開口部
９：前枠
１０：ガラス
１２：ガラス枠
１４：球皿
１４ａ：上球皿
１４ｂ：下球皿
１４ｃ：球排出ボタン
１５：発射ハンドル
１６：遊技領域
２２：ヒンジ（揺動支持部）
２３：遊技球
２８：普通入賞口
２９：中央始動口
３０：アウト口
３１：中央大入賞口
３２：装飾部材
３３：ゲート
３４ａ：固定穴
３４ｂ：電子部品
３４：主制御基板（電子基板）
３５Ａ：主制御基板ケース（基板ケース）
３５ａ：ボトムケース（第１ケース）
３５ｂ：トップケース（第２ケース）
３５ｇ：カシメ部
３５ｈ：連結部材
３５ｋ：カシメ部
３５ｍ：封止片
３５ｘ：ボトムケース
３５ｙ：トップケース
３５：主制御基板ケース（基板ケース）
３６：画像制御基板ケース
３７：払出制御基板ケース
３８：電源基板ケース
３９：外部出力端子板
４１：第１収容部
４２：第１封止部
４２ｂ：底面
５１：第２収容部
５２：第２封止部
５２ｕ：上面
６１：垂直移動規制部
６２：下板部
６３：第１支持部
６４：第２支持部
７１：封止用移動コマ
８６：第１突部
８７：第２突部
１８１ａ：第１溝部
１８１：第１脚部
１８２ａ：第２溝部
１８２：第２脚部
１８３：板部
２２２ａ：第１支援部
２２２ｂ：第２支援部
３５１：第１収容部
３５２：第１封止部
３５６：第２収容部
３５７：第２封止部
４００：突起部
４０１：溝部
４４４：肉薄部
５０１：第１鉤部（第２係合部）
５０２：第２鉤部（第２係合部）
５０３：第１拡張部
５０４：第２拡張部
５２１ａ：第１溝部（第１係合部）
５２１ｂ：第２溝部（第１係合部）
６００：第１カシメ部材
６０１：第１鉤
６０２：第１筒部
６０３：第１蓋部
６０４：第１切り欠き
６１６：第２切り欠き
７００：第２カシメ部材
７０１：第２鉤
７０２：第２筒部
７０３：第２蓋部
【図１】
0005835843.tif 000002
【図２】
0005835843.tif 000003
【図３】
0005835843.tif 000004
【図４】
0005835843.tif 000005
【図５】
0005835843.tif 000006
【図６】
0005835843.tif 000007
【図７】
0005835843.tif 000008
【図８】
0005835843.tif 000009
【図９】
0005835843.tif 000010
【図１０】
0005835843.tif 000011
【図１１】
0005835843.tif 000012
【図１２】
0005835843.tif 000013
【図１３】
0005835843.tif 000014
【図１４】
0005835843.tif 000015